(57)【要約】【課題】カラーホイールを交換することなく、白色光及び各色の光量の割合を変更することができるプロジェクタを提供する。【解決手段】白色光源１からの白色光をカラーフィルタ４２Ｒ，４２Ｇ，４２Ｂにて色時分割し、色時分割された赤・緑・青色の光及び白色光を光変調して投射するようにしてあるプロジェクタに、カラーフィルタ４２Ｒ，４２Ｇ，４２Ｂを夫々支持している支持腕４１Ｒ，４１Ｇ，４１Ｂと、カラーフィルタ４２Ｒ，４２Ｇ，４２Ｂが白色光の光路上及び光路外の間を往復するように支持腕４１Ｒ，４１Ｇ，４１Ｂを回動させるアクチュエータ４０Ｒ，４０Ｇ，４０Ｂと、赤・緑・青色の光及び白色光に色時分割されるように、アクチュエータ４０Ｒ，４０Ｇ，４０Ｂの回動を制御する制御部６とを備える。【選択図】図１
2007206456.tif 000002
【特許請求の範囲】
【請求項１】
光源からの白色光を複数のカラーフィルタにて色時分割し、色時分割された複数色の光を光変調して投射するようにしてあるプロジェクタにおいて、
各カラーフィルタを夫々支持している複数の支持体と、
前記カラーフィルタが白色光の光路上に出没するように各支持体を移動させる複数のアクチュエータと、
白色光が複数色の光に色時分割されるように、各アクチュエータによる移動を制御する制御部と
を備えることを特徴とするプロジェクタ。
【請求項２】
各カラーフィルタが白色光の光路上又は光路外に位置する時間に関する複数の情報を記憶する記憶部を備え、
前記制御部は、
前記記憶部が記憶した情報のいずれか一つに基づいて、前記アクチュエータによる移動を制御するようにしてある
ことを特徴とする請求項１に記載のプロジェクタ。
【請求項３】
前記カラーフィルタが白色光の光路上又は光路外に位置する場合、前記支持体に当接して前記カラーフィルタを停止させるストッパを備える
ことを特徴とする請求項１又は請求項２に記載のプロジェクタ。
【請求項４】
前記ストッパは弾性体である
ことを特徴とする請求項３に記載のプロジェクタ。
【発明の詳細な説明】
【技術分野】
【０００１】
本発明は、光源からの白色光を複数のカラーフィルタにて色時分割し、色時分割された複数色の光を順次光変調して投射するプロジェクタに関する。
【背景技術】
【０００２】
従来のＤＬＰ（Ｄｉｇｉｔａｌ  Ｌｉｇｈｔ  Ｐｒｏｃｅｓｓｉｎｇ）単板方式のプロジェクタは、赤・緑・青のカラーフィルタ及び白色光透過部を周方向に配しており、放電ランプからの白色光を赤・緑・青・白の光に色時分割するカラーホイール、及び色時分割された赤・緑・青・白の光を順次光変調する光変調素子、例えばＤＭＤ（Ｄｉｇｉｔａｌ  Ｍｉｃｒｏｍｉｒｒｏｒ  Ｄｅｖｉｃｅ）を備えている。
【０００３】
ＤＭＤは、画像の各ドット、例えばＳＶＧＡ規格の６００×８００のドットに対応付けられた複数の微小可動ミラーを備えており、ＤＭＤ駆動部がＤＭＤの各ミラーを選択的に±１０度傾けることにより、入射した赤・緑・青・白の光を投射レンズ又は投射レンズ外へ反射させ、スクリーンにカラー画像を色時分割表示する（例えば、特許文献１）。
【特許文献１】特開２０００−１５２２６５号公報
【発明の開示】
【発明が解決しようとする課題】
【０００４】
しかしながら、従来のプロジェクタは、カラーホイールを等速回転させることで、白色光を色時分割する構成であるため、色時分割される各色の光量の割合は各カラーフィルタの周方向の角度によって固定され、表示する画像、用途等に応じて赤・緑・青・白の光量の割合を変更することができないという問題があった。
例えば、白黒画像を表示する場合であっても、白の光量を増加させることができないため、光の利用効率が悪く、暗い画像が表示されるという問題が生ずる。
【０００５】
なお、単純に複数のカラーホイールを備え、用途に応じて使用するカラーホイールを選択するように構成したプロジェクタがあるが、光量の割合変更の自由度を高く構成するためには、より多くのカラーフィルタを備える必要があり高コストになる。また、プロジェクタの大型化を招く。
【０００６】
本発明は、斯かる事情に鑑みてなされたものであり、複数のカラーフィルタを夫々支持する複数の支持体、カラーフィルタが白色光の光路上に出没するように各支持体を移動させる複数のアクチュエータ、及び各アクチュエータによる移動を制御する制御部を備えることにより、白色光及び各色の光量の割合を各アクチュエータによるカラーフィルタの移動制御によって変更することができるプロジェクタを提供することを目的とする。
【０００７】
本発明の他の目的は、各カラーフィルタが白色光の光路上又は光路外に位置する時間に関する複数の情報を記憶する記憶部を備え、制御部が該情報のいずれか一つに基づいて、各アクチュエータによる移動を制御するように構成することにより、前記複数の情報に基づいて、白色光及び各色の光量の割合を変更することができるプロジェクタを提供することにある。
【０００８】
本発明の他の目的は、カラーフィルタが白色光の光路上にある場合、支持体に当接することで、光路外から光路上へ移動しているカラーフィルタを停止させるストッパ、又はカラーフィルタが白色光の光路外にある場合、支持体に当接することで、光路上から光路外へ移動するカラーフィルタを停止させるストッパを備えることにより、アクチュエータによるカラーフィルタの移動を精密に制御することなく、簡易にカラーフィルタを光路上に出没させることができるプロジェクタを提供することにある。
【０００９】
本発明の他の目的は、ストッパを弾性体で構成することにより、ストッパに当接した支持体に加わる衝撃を吸収し、支持体が破損することを防ぐことができるプロジェクタを提供することにある。
【課題を解決するための手段】
【００１０】
本発明に係るプロジェクタは、光源からの白色光を複数のカラーフィルタにて色時分割し、色時分割された複数色の光を光変調して投射するようにしてあるプロジェクタにおいて、各カラーフィルタを夫々支持している複数の支持体と、前記カラーフィルタが白色光の光路上に出没するように各支持体を移動させる複数のアクチュエータと、白色光が複数色の光に色時分割されるように、各アクチュエータによる移動を制御する制御部とを備えることを特徴とする。
【００１１】
本発明にあっては、複数のアクチュエータが複数のカラーフィルタを夫々支持している支持体を移動させることで、カラーフィルタを白色光の光路上に出没させる。カラーフィルタが白色光の光路上にある場合、白色光はカラーフィルタに入射し、カラーフィルタに応じた色の光が該カラーフィルタを透過する。
制御部は、各アクチュエータによるカラーフィルタの移動を制御することによって、白色光を複数色の光に色時分割する。従って、制御部の移動制御によって、カラーフィルタが白色光の光路上に位置する時間と、光路外に位置する時間との割合を変更した場合、色時分割される各色の光量の割合は変化する。
【００１２】
本発明に係るプロジェクタは、各カラーフィルタが白色光の光路上又は光路外に位置する時間に関する複数の情報を記憶する記憶部を備え、前記制御部は、前記記憶部が記憶した情報のいずれか一つに基づいて、前記アクチュエータによる移動を制御するようにしてあることを特徴とする。
【００１３】
本発明にあっては、各カラーフィルタが白色光の光路上又は光路外に位置する時間に関する複数の情報を記憶部が記憶する。制御部は、記憶部が記憶している情報のいずれか一つに基づいて、各アクチュエータによるカラーフィルタの移動を制御することによって、白色光を複数色の光に色時分割する。従って、記憶部が記憶する情報を制御部が選択することで、色時分割された各色の光量の割合を変更することができる。
【００１４】
本発明に係るプロジェクタは、前記カラーフィルタが白色光の光路上又は光路外に位置する場合、前記支持体に当接して前記カラーフィルタを停止させるストッパを備えることを特徴とする。
【００１５】
本発明にあっては、アクチュエータが支持体を移動させることで、カラーフィルタが白色光の光路外から光路上へ移動した場合、カラーフィルタを支持している支持体にストッパが当接し、カラーフィルタは停止する。
従って、制御部は、光路外から光路上へ移動させたカラーフィルタが光路上で停止、つまりカラーフィルタが光路上から外れないように、カラーフィルタの移動を精密に制御する必要はない。
同様に、アクチュエータが支持体を移動させることで、カラーフィルタが白色光の光路上から光路外へ移動した場合、カラーフィルタを支持している支持体にストッパが当接し、カラーフィルタは停止する。
従って、制御部は、光路上から光路外へ移動させたカラーフィルタが光路上から離れ過ぎないように、カラーフィルタの移動を精密に制御する必要はない。
なお、本発明は、各ストッパのいずれか一つを備えるプロジェクタを含む。
【００１６】
本発明に係るプロジェクタは、前記ストッパが弾性体であることを特徴とする。
【００１７】
本発明にあっては、ストッパは弾性体であるため、移動している支持体がストッパに当接した場合に支持体に加わる衝撃をストッパで吸収することができる。従って、支持体が破損する虞はない。
【発明の効果】
【００１８】
本発明にあっては、従来のプロジェクタのように複数のカラーホイールを備えることなく、アクチュエータによるカラーフィルタの移動制御によって、色時分割された各色の光量の割合を変更することができる。
【００１９】
本発明にあっては、色時分割された各色の光量の割合に関する複数の情報を記憶部に記憶させることによって、白色光及び各色の光量の割合を記憶している情報のいずれか一つに基づいて変更することができる。
【００２０】
本発明にあっては、アクチュエータによるカラーフィルタの移動を精密に制御することなく、簡易にカラーフィルタを白色光の光路上に出没させることができる。
【００２１】
本発明にあっては、ストッパに当接した支持体に加わる衝撃を吸収し、支持体が破損することを防ぐことができる。
【発明を実施するための最良の形態】
【００２２】
（実施の形態１）
以下、本発明をその実施の形態を示す図面に基づいて詳述する。
図１は、本発明の実施の形態１に係るＤＬＰ単板方式のプロジェクタの略示斜視図、図２は、プロジェクタのブロック図である。
図中１は、白色光を発するキセノンランプ又は超高圧水銀ランプ等の放電ランプを備えた白色光源であり、放電ランプの発光中心が回転放物面状の鏡面を有するリフレクタの焦点に位置するようにリフレクタに固定されている。リフレクタによって反射された放電ランプの白色光は、集光レンズ２で集光され、略直方体の集光ロッド３に入射する。
【００２３】
集光ロッド３に入射した白色光は、集光ロッド３の内面で反射を繰り返して均一な光となり、色時分割装置４へ出射される。
【００２４】
色時分割装置４は、集光ロッド３から出射された白色光を赤・緑・青、又は赤・緑・青・白の光に色時分割する。色時分割された光は、投射光学ユニット５に入射する。
【００２５】
図３は、色時分割装置４の要部を示す略示斜視図である。
色時分割装置４は、赤色の光を透過させる円盤状のカラーフィルタ４２Ｒを支持する支持腕４１Ｒと、カラーフィルタ４２Ｒが白色光の光路上及び光路外との間を往復移動するように、支持腕４１Ｒを回動させるアクチュエータ４０Ｒとを備えている。
【００２６】
支持腕４１Ｒは略三角形の板状であり、一頂点側にカラーフィルタ４２Ｒを支持している。アクチュエータ４０Ｒは、ハードディスクドライブを構成するボイスモータと同様の構成であり、支持腕４１Ｒの基部、つまり他の頂点側に設けられたコイル、及び該コイルを囲むステータを備えている。
アクチュエータ４０Ｒの回動は、マイクロコンピュータを用いてなる制御部６によって制御される。
【００２７】
また、色時分割装置４は、図３に示すようにカラーフィルタ４２Ｒが白色光の光路上及び光路外に位置することを夫々検出する第１フォトインタラプタ４４Ｒ及び第２フォトインタラプタ４５Ｒを備えている。
第１フォトインタラプタ４４Ｒは、発光部及び支持腕４１Ｒで反射された発光部からの光を受光する受光部から構成されており、発光部は、カラーフィルタ４２Ｒが白色光の光路上に位置している場合、支持腕４１Ｒに光が照射されるように配設されている。受光部は、支持腕４１Ｒで反射された発光部からの光を受光した場合、ハイレベルの検出信号を制御部６に与え、カラーフィルタ４２Ｒが白色光の光路上から離れていて、反射された光を受光しない場合、ローレベルの検出信号を制御部６に与える。
第２フォトインタラプタ４５Ｒは、第１フォトインタラプタ４４Ｒと同様、発光部及び受光部から構成されており、発光部は、カラーフィルタ４２Ｒが白色光の光路外に位置している場合、支持腕４１Ｒに光が照射されるように配設されている。
【００２８】
更に、色時分割装置４は、カラーフィルタ４２Ｒを白色光の光路上で停止させるストッパ４３Ｒを備えている。ストッパ４３Ｒは、略円柱状の弾性体、例えばゴム、バネ等からなり、カラーフィルタ４２Ｒが白色光の光路上に位置する場合、支持腕４１Ｒに当接して、光路外から光路上へ移動しているカラーフィルタ４２Ｒを停止させるように配されている。
【００２９】
集光ロッド３とカラーフィルタ４２Ｒとの間には、図１に示すように、カラーフィルタ４２Ｒ同様、支持腕４１Ｇに支持された緑色のカラーフィルタ４２Ｇがアクチュエータ４０Ｇによって白色光の光路上及び光路外へ往復移動するように配されており、カラーフィルタ４２Ｇの移動を制御するために、ストッパ４３Ｒと同様のストッパ４３Ｇ、図示しない第１及び第２フォトインタラプタが配されている。
【００３０】
また、集光ロッド３とカラーフィルタ４２Ｇとの間には、カラーフィルタ４２Ｒ同様、支持腕４１Ｂに支持された青色のカラーフィルタ４２Ｂがアクチュエータ４０Ｂによって白色光の光路上及び光路外へ往復移動するように配されており、カラーフィルタ４２Ｂの移動を制御するために、ストッパ４３Ｒと同様のストッパ４３Ｂ、図示しない第１及び第２フォトインタラプタが配設されている。
【００３１】
投射光学ユニット５は、色時分割装置４にて色時分割された複数色の光を光変調するＤＭＤ５１、及びＤＭＤ５１で光変調された変調光を投射する投射レンズ群５２を備えている。
【００３２】
ＤＭＤ５１は、画像データに係る画像の各ドット、例えばＳＶＧＡ規格の６００×８００のドットに対応付けられた複数の微小可動ミラーを備えている。図示しないＤＭＤ駆動部は、色時分割された赤・緑・青・白の光が、投射レンズ群５２へ又は投射レンズ群５２外へ選択的に反射するように、各微小可動ミラーを±１０度傾ける。ＤＭＤ５１に入射した光は、ＤＭＤ５１の微小可動ミラーにより光変調、即ち反射され、光変調された変調光は投射レンズ群５２に入射する。ＤＭＤ５１による光変調は、制御部６によって制御される。
【００３３】
投射レンズ群５２は、ＤＭＤ５１で光変調された変調光を拡大投射する投射レンズ、投射される画像の大きさを調節するレンズ等備えている。
【００３４】
図４は、制御部６の構成を示すブロック図である。
制御部６は、ＣＰＵ６０、ＲＯＭ６１、ＲＡＭ６２、時刻を計時するためのクロック６３、入力ポート６４、及び出力ポート６５等を備え、これらは互いに内部バス６６によって接続されている。入力ポート６４には、第１及び第２フォトインタラプタ４４Ｒ，４５Ｒが接続されており、出力ポート６５には、アクチュエータ４０Ｒ，４０Ｇ，４０Ｂ、ＤＭＤ５１等が接続されている。
【００３５】
ＲＯＭ６１は、アクチュエータ４０Ｒ，４０Ｇ，４０Ｂ、ＤＭＤ５１等を制御して、画像を表示するためのプログラムを記憶している。また、赤・緑・青色の光量の割合に関する複数の情報、具体的には、カラーフィルタ４２Ｒ，４２Ｇ，４２Ｂが白色光の光路上又は光路外に位置する時間の割合に関する複数の情報を記憶している。例えば、白色光を赤、緑、青の順で等分に色時分割するための情報として、赤：緑：青：白＝１：１：１：０で示される光量比を記憶している。
その他、白色光を赤、白、緑、白、青、白の順で色時分割するための情報として、赤：白：緑：白：青：白＝２：１：２：１：２：１で示される光量比を記憶している。
また、白黒の画像を表示するための赤：緑：青：白＝０：０：０：１で示される光量比、赤色の画像を表示するための赤：緑：青：白＝８：０：０：１で示される光量比等を記憶している。
【００３６】
制御部６のＣＰＵ６０は、ＲＡＭ６２をワーキングエリアとして、ＲＯＭ６１に格納されたプログラムを実行することにより、アクチュエータ４０Ｒ，４０Ｇ，４０Ｂの回動を制御し、白色光を複数色の光に色時分割する。
【００３７】
図５及び図６は、色時分割に係る制御部６の処理手順を示すフローチャートである。
電源が投入された場合、制御部６は計時を開始する（ステップＳ１１）。次いで、制御部６は計時結果を取得し（ステップＳ１２）、ＲＯＭ６１が記憶している色時分割に係る情報に基づいて、赤色光の光変調時間であるか否かを判定する（ステップＳ１３）。
例えば、赤・緑・青色の光に色時分割する場合、制御部６は、計時した時間ｔが、ｎ／６０≦ｔ＜（ｎ／６０＋１／１８０）のとき、赤色光の光変調時間であると判定する。但し、ｎは０以上の整数である。
【００３８】
赤色光の光変調時間であると判定した場合（ステップＳ１３：ＹＥＳ）、制御部６は、カラーフィルタ４２Ｒを白色光の光路上へ移動させ（ステップＳ１４）、カラーフィルタ４２Ｇ及びカラーフィルタ４２Ｂを白色光の光路外へ移動させる（ステップＳ１５）。
具体的には、制御部６は、第１及び第２フォトインタラプタ４４Ｒ，４５Ｒからの検出信号に基づいて、カラーフィルタ４２Ｒが白色光の光路上又は光路外のいずれにあるかを判定し、カラーフィルタ４２Ｒが光路外にあると判定した場合、アクチュエータ４０Ｒの回動を制御してカラーフィルタ４２Ｒを光路上へ移動させる。
同様に、第１及び第２フォトインタラプタからの検出信号に基づいて、カラーフィルタ４２Ｇ，４２Ｂが白色光の光路上又は光路外のいずれにあるかを判定し、カラーフィルタ４２Ｇ又はカラーフィルタ４２Ｂが光路上にあると判定した場合、アクチュエータ４０Ｇ又はアクチュエータ４０Ｂの回動を制御してカラーフィルタ４２Ｇ又はカラーフィルタ４２Ｂを光路外へ移動させる。
【００３９】
なお、ステップＳ１４において制御部６は、カラーフィルタ４２Ｒが白色光の光路外にある場合、図３中実線の矢印で示すようにカラーフィルタ４２Ｒを高速で光路上へ移動させ、次いで破線の矢印で示すようにカラーフィルタ４２Ｒが光路上に侵入する直前又は直後でカラーフィルタ４２Ｒを低速移動させる。
同様に、ステップＳ１５において制御部６は、カラーフィルタ４２Ｇ又はカラーフィルタ４２Ｂが白色光の光路上にある場合、カラーフィルタ４２Ｇ又はカラーフィルタ４２Ｂを高速で光路外へ移動させ、次いで、カラーフィルタ４２Ｇ又はカラーフィルタ４２Ｂが光路上から外れる直前又は直後でカラーフィルタ４２Ｇ又はカラーフィルタ４２Ｂを低速移動させる。
【００４０】
ステップＳ１５の処理を終えた場合、又は赤色光の光変調時間でないと判定した場合（ステップＳ１３：ＮＯ）、制御部６は、緑色光の光変調時間であるか否かを判定する（ステップＳ１６）。
例えば、制御部６は、計時した時間ｔが、（ｎ／６０＋１／１８０）≦ｔ＜（ｎ／６０＋２／１８０）である場合、緑色光の光変調時間であると判定する。
【００４１】
緑色光の光変調時間であると判定した場合（ステップＳ１６：ＹＥＳ）、カラーフィルタ４２Ｇを白色光の光路上へ移動させ（ステップＳ１７）、カラーフィルタ４２Ｒ及びカラーフィルタ４２Ｂを白色光の光路外へ移動させる（ステップＳ１８）。
【００４２】
ステップＳ１８の処理を終えた場合、又は緑色光の光変調時間でないと判定した場合（ステップＳ１６：ＮＯ）、制御部６は、青色光の光変調時間であるか否かを判定する（ステップＳ１９）。
例えば、制御部６は、計時した時間ｔが、（ｎ／６０＋２／１８０）≦ｔ＜（ｎ＋１／６０）である場合、青色光の光変調時間であると判定する。
【００４３】
青色光の光変調時間であると判定した場合（ステップＳ１９：ＹＥＳ）、制御部６は、カラーフィルタ４２Ｂを白色光の光路上へ移動させ（ステップＳ２０）、カラーフィルタ４２Ｒ及びカラーフィルタ４２Ｇを白色光の光路外へ移動させる（ステップＳ２１）。
【００４４】
ステップＳ２１の処理を終えた場合、又は青色光の光変調時間でないと判定した場合（ステップＳ１９：ＮＯ）、制御部６は、白色光の光変調時間であるか否かを判定する（ステップＳ２２）。白色光の光変調時間であると判定した場合（ステップＳ２２：ＹＥＳ）、制御部６は、カラーフィルタ４２Ｒ，４２Ｇ，４２Ｂを白色光の光路外へ移動させる（ステップＳ２３）。
【００４５】
ステップＳ２３の処理を終えた場合、又は白色光の光変調時間でないと判定した場合（ステップＳ２２：ＮＯ）、制御部６は、光変調の終了、即ち画像表示の終了を受け付けたか否かを判定する（ステップＳ２４）。光変調の終了を受け付けていないと判定した場合（ステップＳ２４：ＮＯ）、制御部６は、処理をステップＳ１２へ戻す。光変調の終了を受け付けたと判定した場合（ステップＳ２４：ＹＥＳ）、制御部６は、処理を終了する。
【００４６】
図７は、色時分割装置４の動作説明図である。
制御部６は、ステップＳ１４で赤色のカラーフィルタ４２Ｒを光路上へ移動させ、ステップＳ１５で緑色及び青色のカラーフィルタ４２Ｇ及びカラーフィルタ４２Ｂを光路外へ移動させた場合、図７（ａ）に示すように、白色光は赤色のカラーフィルタ４２Ｒに入射し、カラーフィルタ４２Ｒを透過した赤色の光が投射光学ユニット５へ入射する。
【００４７】
同様に、制御部６は、ステップＳ１７で緑色のカラーフィルタ４２Ｇを光路上へ移動させ、ステップＳ１８で赤色及び青色のカラーフィルタ４２Ｒ及びカラーフィルタ４２Ｂを光路外へ移動させた場合、図７（ｂ）に示すように、カラーフィルタ４２Ｇを透過した緑色の光が投射光学ユニット５へ入射する。
【００４８】
また、制御部６は、ステップＳ２０で青色のカラーフィルタ４２Ｂを光路上へ移動させ、ステップＳ２１で赤色及び緑色のカラーフィルタ４２Ｒ及びカラーフィルタ４２Ｇを光路外へ移動させた場合、図７（ｃ）に示すように、カラーフィルタ４２Ｂを透過した青色の光が投射光学ユニット５へ入射する。
【００４９】
更に、制御部６は、ステップＳ２３で全カラーフィルタ４２Ｒ，４２Ｇ，４２Ｂを光路外へ移動させた場合、図７（ｄ）に示すように、白色光が投射光学ユニット５へ入射する。
【００５０】
図８は、カラーフィルタ４２Ｒ，４２Ｇ，４２Ｂの位置と、投射光学ユニット５へ入射する光の色との関係を示すタイミングチャートである。
【００５１】
図８（ａ）中、横方向は時間軸であり、最上部のバーは赤色のカラーフィルタ４２Ｒが白色光の光路上又は光路外のいずれにあるかを示している。バーのハッチングが付された部分、つまり時間は、カラーフィルタ４２Ｒが光路上にあり、空白部分は、カラーフィルタ４２Ｒが光路外にあることを示している。最上部の下側のバーは緑色のカラーフィルタ４２Ｇ、その下側のバーは青色のカラーフィルタ４２Ｂが光路上又は光路外のいずれにあるかを示している。更にその下のバーは、投射光学ユニット５に入射する光の色を示している。図８（ｂ）、（ｃ）、（ｄ）も同様である。
【００５２】
図８（ａ）に示すように、制御部６がカラーフィルタ４２Ｒ，４２Ｇ，４２Ｂを、等時間間隔で順次光路上へ移動させた場合、白色光は等時間間隔で赤・緑・青色の光に色時分割される。
【００５３】
また、図８（ｂ）に示すように、制御部６がカラーフィルタ４２Ｒ，４２Ｇ，４２Ｂを光路上へ順次移動させると共に、カラーフィルタ４２Ｒ，４２Ｇ，４２Ｂを光路外へ移動させる都度、カラーフィルタ４２Ｒ，４２Ｇ，４２Ｂを全部光路外へ移動させた場合、白色光は、赤・緑・青・白の光に色時分割される。
白の光量の割合を増減させることで、画像の明暗を調整することができる。例えば、プレゼンテーション用にプロジェクタを使用する場合、白の光量を増加させ、シアター用にプロジェクタを使用する場合、白の光量を減少させると良い。
【００５４】
更に、図８（ｃ）に示すように、制御部６がカラーフィルタ４２Ｒ，４２Ｇ，４２Ｂを常時光路外へ位置させた場合、白色光が投射光学ユニット５に入射する。
白黒画像を表示する場合、白色光源１の光を無駄なく利用できるため、明るく、高コントラストな画像を表示することができる。
【００５５】
更にまた、図８（ｄ）に示すように、制御部６がカラーフィルタ４２Ｒを光路上に位置させ、カラーフィルタ４２Ｒを冷却するために一定間隔置きに光路外へ移動させた場合、冷却時間を除いて単一赤色の光が投射光学ユニット５へ常時入射する。
単一色の画像を表示する場合、白色光源１の光を無駄なく利用できるため、明るく、高コントラストな画像を表示することができる。例えば、プレゼンテーションで、動物細胞の活性部位を赤色蛍光物質で発光させ、不活性部位が暗部になるようにして得た実験結果の画像を表示するような場合、赤色の前記画像を明るく、高コントラストで表示することができる。
【００５６】
このように構成されたプロジェクタにあっては、従来のプロジェクタのように複数のカラーホイールを備える必要がなく、アクチュエータ４０Ｒ，４０Ｇ，４０Ｂの回動制御によって、色時分割された各色の光量の割合を任意に変更することができる。
【００５７】
また、色時分割された各色の光量の割合に関する複数の情報をＲＯＭ６１、又はＲＡＭ６２等が記憶し、該情報に基づいて制御部６がアクチュエータ４０Ｒ，４０Ｇ，４０Ｂの回動を制御することによって、図８（ａ）〜（ｄ）に示すように白色光及び各色の光量の割合を該情報に基づいて変更することができる。
【００５８】
更に、支持腕４１Ｒ，４１Ｇ，４１Ｂは、カラーフィルタ４２Ｒ，４２Ｇ，４２Ｂが光路上へ移動した場合、ストッパ４３Ｒ，４３Ｇ，４３Ｂに当接して停止するため、制御部６は、アクチュエータ４０Ｒ，４０Ｇ，４０Ｂを精密に制御することなく、カラーフィルタ４２Ｒ，４２Ｇ，４２Ｂを光路上に位置させることができる。
【００５９】
更にまた、ストッパ４３Ｒ，４３Ｇ，４３Ｂは、弾性体で形成されているため、ストッパ４３Ｒ，４３Ｇ，４３Ｂに当接した支持腕４１Ｒ，４１Ｇ，４１Ｂに加わる衝撃を吸収し、支持腕４１Ｒ，４１Ｇ，４１Ｂが破損することを防ぐことができる。
【００６０】
なお、実施の形態１にあっては、カラーフィルタにて色時分割するように構成してあるが、特定の波長の光を反射し、他の波長の光を透過させるダイクロイックミラー又はダイクロイックフィルタ等を用いて色時分割装置を構成しても良い。
【００６１】
また、赤・緑・青のカラーフィルタによって、白色光を赤・緑・青・白の光に色時分割する例を示したが、これに限らず、他の色、例えばシアン、マゼンタ、イエローの光に色時分割するように構成しても良い。
図９及び図１０は、変形例における色時分割装置の構成及び動作説明図、図１１は、変形例におけるダイクロイックミラー４２Ｃ，４２Ｍ，４２Ｙの位置と、投射光学ユニット５へ入射する光の色との関係を示すタイミングチャートである。
変形例に係るプロジェクタの色時分割装置は、カラーフィルタ４２Ｒ，４２Ｇ，４２Ｂに代えて、赤色の光を反射させ、シアンの光を透過させるダイクロイックミラー４２Ｃ、緑色の光を反射させ、マゼンタの光を透過させるダイクロイックミラー４２Ｍ、及び青色の光を反射させ、イエローの光を透過させるダイクロイックミラー４２Ｙを備えている。ダイクロイックミラー４２Ｃ，４２Ｍ，４２Ｙは、夫々アクチュエータ４０Ｃ，４０Ｍ，４０Ｙにて白色光源１の光路上及び光路外の間を往復移動する。
【００６２】
図１１（ａ）及び図９（ａ）に示すように、制御部６がマゼンタ及びイエローのダイクロイックミラー４２Ｍ，４２Ｙを光路上へ移動させ、シアンのダイクロイックミラー４２Ｃを光路外へ移動させた場合、赤色の光が投射光学ユニット５へ入射する。
同様に、図９（ｂ）に示すように、制御部６がシアン及びイエローのダイクロイックミラー４２Ｃ，４２Ｙを光路上へ移動させ、マゼンタのダイクロイックミラー４２Ｍを光路外へ移動させた場合、緑色の光が投射光学ユニット５へ入射する。
制御部６が図９（ｃ）に示すようにシアン及びマゼンタのダイクロイックミラー４２Ｃ，４２Ｍを光路上へ移動させ、イエローのダイクロイックミラー４２Ｙを光路外へ移動させた場合、青色の光が投射光学ユニット５へ入射する。
【００６３】
また、図１１（ｂ）に示すように、制御部６がシアン、マゼンタ、イエローの各ダイクロイックミラー４２Ｃ，４２Ｍ，４２Ｙを光路上へ移動させた場合、白色光は、赤・白・緑・白・青・白の順に色時分割される。
【００６４】
更に、図１１（ｃ）に示すように、制御部６が各ダイクロイックミラー４２Ｃ，４２Ｍ，４２Ｙを光路上へ移動させた場合、白色光は、赤・イエロー・緑・シアン・青・マゼンタの順に色時分割される。
【００６５】
具体的には、図１０（ａ）に示すように、制御部６がシアンのダイクロイックミラー４２Ｃを光路上へ移動させ、マゼンタ及びイエローのダイクロイックミラー４２Ｍ，４２Ｙを光路外へ移動させた場合、シアンの光が投射光学ユニット５へ入射する。
【００６６】
また、図１０（ｂ）に示すように、制御部６がマゼンタのダイクロイックミラー４２Ｍを光路上へ移動させ、シアン及びイエローのダイクロイックミラー４２Ｃ，４２Ｙを光路外へ移動させた場合、マゼンタの光が投射光学ユニット５へ入射する。
【００６７】
更に、図１０（ｃ）に示すように、制御部６がイエローのダイクロイックミラー４２Ｙを光路上へ移動させ、シアン及びマゼンタのダイクロイックミラー４２Ｃ，４２Ｍを光路外へ移動させた場合、イエローの光が投射光学ユニット５へ入射する。
【００６８】
更に実施の形態１にあっては、各カラーフィルタが往復回動するように構成されているが、これに限定されず、各カラーフィルタが白色光の光路上に出没するようにアクチュエータが支持腕を移動させるように構成しても良い。
【００６９】
また、実施の形態１で示した各色の光量の割合は、一例であり、他の割合で白色光を色時分割するように構成しても良い。
【００７０】
（実施の形態２）
図１２は、実施の形態２における色時分割装置４の要部を示す略示斜視図である。
実施の形態２に係るプロジェクタは、色時分割装置４の構成のみが実施の形態１と異なるため、以下では主に上記相違点について説明する。
【００７１】
実施の形態２に係る色時分割装置４は、カラーフィルタ４２Ｒを光路外で停止させるためのストッパ４６Ｒを備えている。ストッパ４６Ｒは、略円柱状の弾性体からなり、カラーフィルタ４２Ｒが白色光の光路外に位置する場合、支持腕４１Ｒに当接して、光路上から光路外へ移動しているカラーフィルタ４２Ｒを停止させるように配されている。
また、カラーフィルタ４２Ｇ及びカラーフィルタ４２Ｂに対しても、光路外で停止させるための図示しないストッパが配されている。
【００７２】
このように構成されたプロジェクタにあっては、支持腕４１Ｒ，４１Ｇ，４１Ｂは、カラーフィルタ４２Ｒ，４２Ｇ，４２Ｂが光路外へ移動した場合、ストッパ４６Ｒに当接して停止するため、制御部６は、アクチュエータ４０Ｒ，４０Ｇ，４０Ｂを精密に制御することなく、カラーフィルタ４２Ｒ，４２Ｇ，４２Ｂを光路外の所定位置に位置させることができる。
【００７３】
実施の形態２に係るプロジェクタの他の構成、作用及び効果は、実施の形態１に係るプロジェクタの構成、作用及び効果と同様であるため、対応する箇所には同様の符号を付してその詳細な説明を省略する。
【図面の簡単な説明】
【００７４】
【図１】本発明の実施の形態１に係るＤＬＰ単板方式のプロジェクタの略示斜視図である。
【図２】プロジェクタのブロック図である。
【図３】色時分割装置の要部を示す略示斜視図である。
【図４】制御部の構成を示すブロック図である。
【図５】色時分割に係る制御部の処理手順を示すフローチャートである。
【図６】色時分割に係る制御部の処理手順を示すフローチャートである。
【図７】色時分割装置の動作説明図である。
【図８】カラーフィルタの位置と、投射光学ユニットへ入射する光の色との関係を示すタイミングチャートである。
【図９】変形例における色時分割装置の構成及び動作説明図である。
【図１０】変形例における色時分割装置の構成及び動作説明図である。
【図１１】変形例におけるダイクロイックミラーの位置と、投射光学ユニットへ入射する光の色との関係を示すタイミングチャートである。
【図１２】実施の形態２における色時分割装置の要部を示す略示斜視図である。
【符号の説明】
【００７５】
１  白色光源
２  集光レンズ
３  集光ロッド
４  色時分割装置
５  投射光学ユニット
６  制御部
４０Ｒ，４０Ｇ，４０Ｂ  アクチュエータ
４１Ｒ，４１Ｇ，４１Ｂ  支持腕
４２Ｒ，４２Ｇ，４２Ｂ  カラーフィルタ
４３Ｒ，４３Ｇ，４３Ｂ  ストッパ
４４Ｒ  第１フォトインタラプタ
４５Ｒ  第２フォトインタラプタ
５１  ＤＭＤ
５２  投射レンズ群
６０  ＣＰＵ
６１  ＲＯＭ
６２  ＲＡＭ
６３  クロック
４６Ｒ，４６Ｇ，４６Ｂ  ストッパ
【図１】
2007206456.tif 000003
【図２】
2007206456.tif 000004
【図３】
2007206456.tif 000005
【図４】
2007206456.tif 000006
【図５】
2007206456.tif 000007
【図６】
2007206456.tif 000008
【図７】
2007206456.tif 000009
【図８】
2007206456.tif 000010
【図９】
2007206456.tif 000011
【図１０】
2007206456.tif 000012
【図１１】
2007206456.tif 000013
【図１２】
2007206456.tif 000014